(57)【要約】【課題】易開封性、再封性を有し、かつ、外筒から中箱をスライドさせることにより、中箱の中に収納されている内容物を少しずつ取り出すことができるスライド式易開封性カートンを提供することにある。【解決手段】本発明は、組み立てた状態で、外筒の中に、中箱が挿入されており、外筒が、側板、前板、側板、後板からなる四角筒状であり、中箱が、四角形状の底板の各辺に連設された上側板、下側板、左右側板が底板から上方に折り曲げられた四角形のトレー状であり、中箱上端部に上側板と、上側板に連設されたカバー前板と、上側板又はカバー前板の両側辺に連設されたカバー側板とからなる蓋部が形成され、該蓋部を外筒の上縁部に開封可能に被せたことを特徴とするスライド式易開封性カートンであり、前板の上辺には遊離係止片が、折り曲げ可能に連設され、カバー前板の裏面には係止片が遊離係止片に対応した位置および形状で貼り合わされていることを特徴とする。【選択図】図１
2005329975.tif 000002
【特許請求の範囲】
【請求項１】
組み立てた状態で、外筒の中に、中箱が挿入されており、前記外筒が、側板、前板、側板、後板からなる四角筒状であり、前記中箱が、四角形状の底板の各辺に連設された上側板、下側板、左右側板が前記底板から上方に折り曲げられた四角形のトレー状であり、前記中箱上端部に前記上側板と、前記上側板に連設されたカバー前板と、前記上側板又は前記カバー前板の両側辺に連設されたカバー側板とからなる蓋部が形成され、該蓋部を前記外筒の上縁部に開封可能に被せたことを特徴とするスライド式易開封性カートン。
【請求項２】
前記前板の上辺には遊離係止片が、折り曲げ可能に連設され、前記カバー前板の裏面には係止片が前記遊離係止片に対応した位置および形状で貼り合わされていることを特徴とする請求項１に記載のスライド式易開封性カートン。
【請求項３】
前記係止片がそれぞれ前記カバー側板に連設して設けられ、前記カバー前板の裏面に貼り合わされていることを特徴とする請求項２に記載のスライド式易開封性カートン。
【請求項４】
前記係止片が前記カバー前板に連設して設けられ、前記カバー前板の裏面に折り返して貼り合わされていることを特徴とする請求項２に記載のスライド式易開封性カートン。
【発明の詳細な説明】
【技術分野】
【０００１】
本発明は、易開封性、再封性を有し、かつ、中箱をスライドさせることにより内容物を取り出すことができるスライド式易開封性カートンに関するものである。
【背景技術】
【０００２】
従来より、易開封性を有するカートンとして、カートンの上の部分を後パネルの横方向の折れ線をヒンジとして後方に回動させることにより開封することができる、いわゆるヘッドバック式のカートンとしては、タバコ、チョコレートなどのカートンとして広く使用されているヒンジリッド型のカートンがある。また、ヒンジリッド型のカートン以外にも、切断線、ジッパーなどをカートンの横方向に設け、この切断線、ジッパーなどを切り取ることにより開封する形態のカートンも菓子、チョコレートなどのカートンとして広く使用されている。
【０００３】
また、従来より、筒状の外筒とトレー状の中箱からなり、外筒の中に挿入された中箱をスライドさせて中箱の中に収納されている内容物を取り出すことができる形状のスライド式カートンもカートンの一つの形態として広く使用されている（例えば、非特許文献１参照。）。
【０００４】
【非特許文献１】「包装技術便覧」社団法人日本包装技術協会編集・発行、ｐ.1025
【発明の開示】
【発明が解決しようとする課題】
【０００５】
しかしながら、上記のような構成の従来の易開封性カートンでは、開封する時に、前パネル切断線の中央部分を押圧し、前パネル切断線を切断する動作と、分断された上の部分が把持して後パネル側に折るように回動させ、左右側パネル切断線を破断する動作の二つの動作を必要とし、一つの動作でスムースに開封しにくく、かつ、開封の取っ掛かりの分かり易さという点では十分な形状ではないという問題がある。また、開封する時、切断線を押し込んで切り取る必要があり、内容物を損傷する危険がある上に、開封前に外圧により、切断線が破断しやすく内容物を損傷する危険があるという問題がある。さらに、前板をU字等にえぐることができないため、中身が取り出しにくく、特に、ボール状、粒状等を少しずつ取り出すことが難しく、整列した中身を見せることもできないという問題がある。さらにまた、開封後の再封性の機能を持っていないため、内容物を一度に使い切らない場合に、再封することができず、使用上不便であるという問題がある。
【０００６】
また、従来のスライド式カートンは、開封し易い形状ではなく、また、再封の点でも、充分に対応した形状となっていないという問題がある。
【０００７】
本発明は、上述した問題点を解決すべくなされたものであり、易開封性、再封性を有し、かつ、外筒から中箱をスライドさせることにより、中箱の中に収納されている内容物を少しずつ取り出すことができるスライド式易開封性カートンを提供することを目的とするものである。
【課題を解決するための手段】
【０００８】
上記の課題を解決するために、本発明は、組み立てた状態で、外筒の中に、中箱が挿入されており、前記外筒が、側板、前板、側板、後板からなる四角筒状であり、前記中箱が、四角形状の底板の各辺に連設された上側板、下側板、左右側板が前記底板から上方に折り曲げられた四角形のトレー状であり、前記中箱上端部に前記上側板と、前記上側板に連設されたカバー前板と、前記上側板又は前記カバー前板の両側辺に連設されたカバー側板とからなる蓋部が形成され、該蓋部を前記外筒の上縁部に開封可能に被せたことを特徴とするスライド式易開封性カートンであり、前記前板の上辺には遊離係止片が、折り曲げ可能に連設され、前記カバー前板の裏面には係止片が前記遊離係止片に対応した位置および形状で貼り合わされていることを特徴とする。また、前記係止片がそれぞれ前記カバー側板に連設して設けられ、前記カバー前板の裏面に貼り合わされていること、あるいは、前記係止片が前記カバー前板に連設して設けられ、前記カバー前板の裏面に折り返して貼り合わされていることを特徴とする。
【発明の効果】
【０００９】
本発明に係るスライド式易開封性カートンでは、中箱の上端部に設けた蓋部が外箱の上縁部に被さった状態であり、誰もがこの蓋部を指に触れ、開封する取っ掛かりとしやすく、また、蓋部のカバー前板を引き上げるという簡単な動作により、容易に開封することができるという効果を有している。また、開封した後に、中箱をスライドさせることにより、開口部が広がり収納されている内容物を少しづつ取り出すことが容易となるという効果を有している。さらに、再封に際しては、蓋部と外箱とで係合機能を保有しており、蓋部がカチッと音を発してうまく外箱にロックされ、蓋部の開閉がスムースかつ確実に行うことができる。
【発明を実施するための最良の形態】
【００１０】
以下、図面を引用して本発明の実施の形態を説明する。なお、各図において、同様の構成要素には同一の符号を付している。図１は本発明のスライド式易開封性カートンの第一の実施形態を示す斜視図であり、図２は本発明のスライド式易開封性カートンの第一の実施形態の中箱および外箱を示す斜視図であり、図３は本発明のスライド式易開封性カートンの第一の実施形態の中箱のブランクを示す展開図であり、図４は本発明のスライド式易開封性カートンの第一の実施形態の外箱のブランクを示す展開図であり、図５は本発明のスライド式易開封性カートンの第一の実施形態の組み立てを説明する図であり、図６は本発明のスライド式易開封性カートンの第二の実施形態を示す斜視図であり、図７は本発明の本発明のスライド式易開封性カートンの第二の実施形態の中箱および外箱を示す斜視図であり、図８は本発明のスライド式易開封性カートンの第二の実施形態の中箱のブランクを示す展開図であり、図９は本発明のスライド式易開封性カートンの第二の実施形態の組み立てを説明する図であり、そして、図１０は本発明のスライド式易開封性カートンの開封および再封を説明する図である。
【００１１】
図１は、本発明のスライド式易開封性カートンの第一の実施形態を示す斜視図である。本発明のスライド式易開封性カートンＡは、図１−ａに示すように、中箱１Ａと外筒２Ａからなるスライド式カートンであり、従来のスライド式カートンの形態に加えて中箱１Ａの上部に中箱１Ａの上側板１３とカバー前板１５とカバー側板１６、１６とからなる蓋部Ｐを備え、この蓋部Ｐが外箱２Ａの上縁部に被さる形状となっている。そして、この蓋部Ｐのカバー前板１５の先端を摘み引き上げることにより、スライド式易開封性カートンＡの蓋部Ｐを容易に開封することができ、さらに、図１−ｂに示すように、中箱１Ａを外箱２Ａからスライドさせることにより、開口部が広がり中箱１Ａに収納されている内容物を少しずつ取り出しやすくすることができる。また、蓋部Ｐは外箱２Ａに係止されるロック機構を有している。
【００１２】
本発明のスライド式易開封性カートンＡの中箱１Ａは、図２−ａに示すように、長方形状の底板１１の相対する左右の長辺にはそれぞれ直角に立ち上がる左右側板１２、１２が形成されると共に底板１１の相対する上下の短辺にはそれぞれ直角に立ち上がる上側板１３と下側板１４が形成されている。また、上側板１３には、カバー前板１５が連設され、このカバー前板１５と上側板１３とを連結するようにカバー側板１６、１６が設けられ、上側板１３とカバー前板１５とカバー側板１６、１６とで蓋部Ｐを形成している。また、カバー前板１５の裏面には、カバー側板１６、１６に連設した係止片１７Ａ、１７Ａをそれぞれ両側から貼り合わせている。
【００１３】
本発明のスライド式易開封性カートンＡの外筒２Ａは、図２−ｂに示すように、側板２１、前板２２、側板２３、後板２４からなる筒状であつて、前板２２の上辺には外側に折り返される遊離係合片２６が形成された形状である。この遊離係合片２６が再封時に、中箱１Ａの蓋部Ｐのカバー前板１５の裏面に貼られている係止片１７Ａ、１７Ａとカチッと音を発して係合することになる。
【００１４】
本発明のスライド式易開封性カートンＡは、図２−ｂに示す外筒２Ａの内部に、図２−ａに示す中箱１を、外箱２の遊離係止片２６のある上部側から、中箱１Ａの底板１１を外箱２の後板２４側にして中箱１の下側板１４を先にして挿入し、蓋部Ｐを外箱２Ａの上縁部に被せた形で構成されている。
【００１５】
本実施形態の中箱１Ａを組み立てるためのブランク１０Ａでは、図３に示すように、底板１１の相対する長辺からなる左右辺には折れ線ａ、ａを介して側板１２、１２が連設され、長方形状の底板１１の相対する短辺からなる上下辺の上辺には折れ線ｂを介して上側板１３が連設されると共に下辺には折れ線ｃを介して下側板１４が連設されている。そして、上側板１３の上辺には、折れ線ｄを介してカバー前板１５が連設され、両側辺には、折れ線ｅ、ｅを介してカバー側板１６、１６が連設され、それぞれのカバー側板１６、１６の上辺には、折れ線ｆ、ｆを介してカバー前板の１５の裏面に貼り合わされる係止片１７Ａ、１７Ａがそれぞれ連設されている。また、下側板１４の下辺には折れ線ｇを介して差し込み片１８が連設され、側板１２、１２の下辺には、それぞれ折れ線ｈ、ｈを介して折り込み片１９、１９が連設されている。この下側の形状については、本例では、差し込み形状となっているが、特に、限定されるものではない。
【００１６】
本実施形態の外箱２Ａを組み立てるためのブランク２０Ａでは、図４に示すように、長方形状の側板２１、前板２２、側板２３、後板２４、そして、糊代片２５が折れ線ｉ、ｊ、ｋ、ｌを介して順次連設されている。そして、前板１２の上辺には、遊離係止片２６が折れ線ｍを介して連設されている。
【００１７】
本発明のスライド式易開封性カートンＡでは、蓋部Ｐを中箱１Ａの上端に備えたことが特徴であり、この蓋部Ｐを外箱２Ａの上縁部に被せる形状としている。また、この蓋部Ｐのカバー前板１５の裏面に貼り合わされた係止片１７Ａ、１７Ａと外箱２Ａの前板１２の上辺に折り返されて設けられて遊離係止片２６とがロックされる機能を有し、再封が確実に行うことができることも特徴である。
【００１８】
本発明のスライド式易開封性カートンＡを組み立てるには、中箱１Ａと外箱２Ａとを別々に組み立てる。まず、図３のブランク１０Ａから中箱１Ａを組み立てるには、図５−ａに示すように、上側板１３の両側辺に連設されているカバー側板１６、１６と底板１１の両側辺に連設されている左右側板１２、１２とを直角に折り曲げると共に、図５−ｂに示すように、カバー側板１６、１６に連設されている係止片１７Ａ、１７Ａと側板１２、１２に連設されている折り込み片１９、１９をそれぞれ内側に折り曲げ、ついで、上側板１３の上辺に連設されているカバー前板１５と底板１１の下辺に連設されている下側板１４とを直角に折り曲げ、図５−ｃに示すように、カバー前板１５と係止片１７Ａ、１７Ａとを貼り合わせ、そして、差し込み片１８を包み込むようにして折り曲げて、内容物を充填する前の中箱１Ａを組み立てる。この状態で内容物を充填する。
【００１９】
一方、図４のブランク２０Ａから外箱２Ａを組み立てるには、折れ線ｉ、ｊ、ｋ、ｌで順次折り曲げて側板２１と糊代片２５を貼り合わせて四角筒状とし、前板２２の上辺に連接した遊離係止片２６を前板２２の表面側に折り返して組み立てる。
【００２０】
つぎに、図５−ｄに示すように、四角筒状に起こした外箱２Ａの遊離係止片２６を設けた上側から内容物を充填した中箱１Ａを下側板１４側から挿入し、最後に、図５−ｅに示すように、蓋部Ｐを外箱２Ａの上縁部に被せることにより図１に示すようなスライド式易開封性カートンＡを完成する。この時、蓋部Ｐのカバー前板１５の裏面に貼り合わされた係止片１７Ａ、１７Ａと外箱２Ａの前板１２の上辺に折り返されて設けられて遊離係止片２６とがロックされ、蓋部Ｐを外箱２Ａの上縁部に確実に被せることができる。
【００２１】
図６は、本発明のスライド式易開封性カートンの第二の実施形態を示す斜視図である。本発明のスライド式易開封性カートンＢは、スライド式易開封性カートンＡと同様に、中箱１Ｂと外筒２Ｂからなるスライド式カートンであり、中箱１Ｂの上部に上側板とカバー前板とカバー副パネルからなる蓋部Ｐを有し、この蓋部Ｐが外箱２の上縁部に被さる形状となっている。そして、この蓋部Ｐのカバー前板の先端を摘み引き上げることにより、スライド式易開封性カートンＢの蓋部Ｐを容易に開封することができ、さらに、中箱１Ｂを外箱２Ｂからスライドさせることにより、中箱１Ｂに収納されている内容物を少しずつ取り出すことができる。また、蓋部Ｐは外箱２Ｂに係止されるロック機構を有している。
【００２２】
本発明のスライド式易開封性カートンＢの中箱１Ｂは、図７−ａに示すように、長方形状の底板１１の相対する左右の長辺にはそれぞれ直角に立ち上がる左右側板１２、１２が形成されると共に底板１１の相対する上下の短辺にはそれぞれ直角に立ち上がる上側板１３と下側板１４が形成されている。また、上側板１３には、カバー前板１５が連設され、このカバー前板１５と上側板１３との側辺を連結するようにカバー側板１６、１６が設けられ、上側板１３とカバー前板１５とカバー側板１６、１６とで蓋部Ｐを形成している。また、スライド式易開封性カートンＡと異なり、カバー前板１５の裏面には、カバー前板１５に連設した係止片１７Ｂを折り返して貼り合わせている。
【００２３】
本発明のスライド式易開封性カートンＢの外筒２Ｂは、スライド式易開封性カートンＡと同様であり、遊離係合片２６が再封時に、中箱１Ｂの蓋部Ｐのカバー前板１５の裏面に貼られている係止片１７Ｂとカチッと音を発して係合することになる。
【００２４】
本発明のスライド式易開封性カートンＢは、図７−ｂに示す外筒２Ｂの内部に、図７−ａに示す中箱１Ｂを、外箱２Ｂの遊離係止片２６のある上部側から、中箱１Ｂの底板１１を外箱２Ｂの後板２４側にして中箱１Ｂの下側板１４を先にして挿入し、蓋部Ｐを外箱２Ｂの上縁部を覆う形で構成されている。
【００２５】
本実施形態の中箱１Ｂを組み立てるためのブランク１０Ｂでは、図８に示すように、底板１１の相対する長辺からなる左右辺には折れ線ａ、ａを介して側板１２、１２が連設され、長方形状の底板１１の相対する短辺からなる上下辺の上辺には折れ線ｂを介して上側板１３が連設されると共に下辺には折れ線ｃを介して下側板１４が連設されている。そして、上側板１３の上辺には、折れ線ｄを介してカバー前板１５が連設され、両側辺には、折れ線ｅ、ｅを介して折り込み片１９、１９が連設され、カバー前板１５の両側辺には、折れ線ｎ、ｎを介してカバー側板１６、１６が連設され、上辺には、折れ線ｏを介してカバー前板１５の裏面に貼り合わされる係止片１７Ｂが連設されている。また、下側板１４の下辺には折れ線ｇを介して差し込み片１８が連設され、側板１２、１２の下辺には、それぞれ折れ線ｈ、ｈを介して折り込み片１９、１９が連設されている。
【００２６】
本実施形態の外箱２Ｂを組み立てるためのブランクは、スライド式易開封性カートンＡの外箱２Ａのブランクと同様である。
【００２７】
本発明のスライド式易開封性カートンＢでは、スライド式易開封性カートンＡと同様に、蓋部Ｐを中箱１Ｂの上端部に設けたことが特徴であり、この蓋部Ｐで外箱２Ｂの上縁部を覆う形状としている。また、この蓋部Ｐのカバー前板１５の裏面に貼り合わされた係止片１７Ｂと外箱２Ｂの前板１２の上辺に折り返されて設けられて遊離係止片２６とがロックされる機能を有し、再封が確実に行うことができることも特徴である。
【００２８】
本発明のスライド式易開封性カートンＢを組み立てるには、中箱１Ｂと外箱２Ｂとを別々に組み立てる。まず、図８のブランク１０Ｂから中箱１Ｂを組み立てるには、図９−ａに示すように、予め係止片１７Ｂをカバー前板１５裏面に折り返して貼り合わせ、ついで、底板１１の両側辺に連設されている左右側板１２、１２を直角に折り曲げると共に側板１２、１２に連設されている折り込み片１９、１９を内側に折り曲げ、つぎに、図９−ｂに示すように、底板１１の上辺に連設されている上側板１３と下辺に連設されている下側板１４とを直角に折り曲げ、差し込み片１８を包み込むようにして折り曲げて、図９−ｃに示すように、内容物を充填する前の中箱１Ｂを組み立てる。この状態で内容物を充填する。
【００２９】
一方、図４のブランク２０から外箱２Ｂを外箱２Ａと同様にして組み立て、図９−ｄに示すように、四角筒状に起こした外箱２Ｂの遊離係止片２６を設けた上側から内容物を充填した中箱１Ｂを下側板１４側から挿入し、つづいて、図９−ｅに示すように、上側板１３の両側辺に連設されている折り込み片１９、１９を内側に折り曲げ、カバー前板１５を内側に折り曲げ、折り曲げて折り込み片１９、１９に接着剤を塗布した後、カバー前板１５の両側辺に連設されているカバー側板１６、１６を折り曲げて折り込み片１９、１９と貼り合わせて上側板１３、カバー前板１５、カバー側板１６からなる蓋部Ｐを形成することにより、蓋部Ｐが外箱２Ｂの上縁部に被さった形状とし、スライド式易開封性カートンＢを完成することができる。この時、蓋部Ｐのカバー前板１５の裏面に貼り合わされた係止片１７Ｂと外箱２Ｂの前板１２の上辺に折り返されて設けられて遊離係止片２６とがロックされ、蓋部Ｐを外箱２Ｂの上縁部に確実に被せることができる。
【００３０】
本発明のスライド式易開封性カートンＡを開封して内容物を取り出すには、まず、図１０−ａに示すように、蓋部Ｐのカバー前板１５を上方に押し上げるだけで蓋部Ｐのカバー前板１５の裏面に貼り合わされた係止片１７、１７と外箱２の前板１２の上辺に折り返されて設けられて遊離係止片２６とがロックが外され蓋部Ｐが折れ線ｂをヒンジとして外側に折り曲げられ、図１０−ｂに示すように、容易に蓋部Ｐを開口することできる。この状態でも内容物を取り出すことができるが、さらに、図１０−ｃに示すように、中箱１を外箱２からスライドして引き出すことによって、開口部が広がり内容物を少しずつ取り出すことが容易になる。
【００３１】
本発明のスライド式易開封性カートンＡにおいて、内容物を取り出した後に、再封する場合、引き出した中箱１をスライドして元に戻し、そして、蓋部Ｐを外箱２の上縁部に被せることにより、蓋部Ｐのカバー前板１５の裏面に貼り合わされた係止片１７と外箱２の前板１２の上辺に折り返されて設けられて遊離係止片２６とがロックされ、蓋部Ｐを外箱２の上縁部に確実に被せることができる。
【００３２】
本発明のスライド式易開封性カートンの外箱２の形状において、上記の形状では上下両側が開口した筒状であるが、図面は省略するが、下側を閉じた有底の四角筒状としてもよい。また、外箱２を組み立てる方法として、予め外箱２を組み立てた後、中箱１を挿入する方法ではなく、中箱１を包むようにして外箱２を組み立てるラップラウンド式としてもよい。
【産業上の利用可能性】
【００３３】
本発明のスライド式易開封性カートンは、蓋部の開封が容易で、かつ、中箱をスライドして引き出すことができ、内容物の取り出しが極めて容易であるという特徴を有していることから、カード状、棒状、粒状等の内容物のカートンとして幅広く利用することができるものである。
【図面の簡単な説明】
【００３４】
【図１】本発明のスライド式易開封性カートンの第一の実施形態を示す斜視図である。
【図２】本発明のスライド式易開封性カートンの第一の実施形態の中箱および外箱を示す斜視図である。
【図３】本発明のスライド式易開封性カートンの第一の実施形態の中箱のブランクを示す展開図である。
【図４】本発明のスライド式易開封性カートンの第一の実施形態の外箱のブランクを示す展開図である。
【図５】本発明のスライド式易開封性カートンの第一の実施形態の組み立てを説明する図である。
【図６】本発明のスライド式易開封性カートンの第二の実施形態を示す斜視図である。
【図７】本発明のスライド式易開封性カートンの第二の実施形態の中箱および外箱を示す斜視図である。
【図８】本発明のスライド式易開封性カートンの第二の実施形態の中箱のブランクを示す展開図である。
【図９】本発明のスライド式易開封性カートンの第二の実施形態の組み立てを説明する図である。
【図１０】本発明のスライド式易開封性カートンの開封および再封を説明する図である。
【符号の説明】
【００３５】
Ａ    スライド式易開封性カートン（第一の実施形態）
Ｂ    スライド式易開封性カートン（第二の実施形態）
１Ａ  中箱（第一の実施形態）
１Ｂ  中箱（第二の実施形態）
２Ａ  外箱（第一の実施形態）
２Ｂ  外箱（第二の実施形態）
１０Ａ  ブランク（第一の実施形態の中箱）
１０Ｂ  ブランク（第二の実施形態の中箱）
１１    底板
１２    側板
１３    上側板
１４    下側板
１５    カバー前板
１６    カバー側板
１７Ａ  係止片
１７Ｂ  係止片
１８    差し込み片
１９    折り込み片
２０Ａ  ブランク（外箱）
２１    側板
２２    前板
２３    側板
２４    後板
２５    糊代片
２６    遊離係合片
Ｐ    蓋部
ａ〜ｏ  折れ線
【図１】
2005329975.tif 000003
【図２】
2005329975.tif 000004
【図３】
2005329975.tif 000005
【図４】
2005329975.tif 000006
【図５】
2005329975.tif 000007
【図６】
2005329975.tif 000008
【図７】
2005329975.tif 000009
【図８】
2005329975.tif 000010
【図９】
2005329975.tif 000011
【図１０】
2005329975.tif 000012